(57)【要約】【課題】少ない吸引力で効率的に吸塵することができ、エアフィルタの清掃、メンテナンスが極めて容易なエアフィルタの自動清掃機能付き室内ユニットを備えた空気調和機を提供すること。【解決手段】空気調和機に、熱交換器と、熱交換器で熱交換された空気を室内に吹き出すファンと、熱交換器の風上側に配設されたエアフィルタ６と、エアフィルタ６に付着した塵埃を除去する吸入ノズル５を設け、エアフィルタ６を空気調和機に対し着脱自在な枠体２に取り付けた。【選択図】図４
2006145208.tif 000002
【特許請求の範囲】
【請求項１】
熱交換器と、前記熱交換器で熱交換された空気を室内に吹き出すファンと、前記熱交換器の風上側に配設されたエアフィルタと、前記エアフィルタに付着した塵埃を除去する吸入ノズルを有する空気調和機であって、前記エアフィルタは前記空気調和機に対し着脱自在な枠体に取付けられていることを特徴とする空気調和機。
【請求項２】
前記枠体は略Ｌ字形の縦断面形状をなすことを特徴とする請求項１に記載の空気調和機。
【請求項３】
前記枠体は前記熱交換器の略前方と略上方とに連続的に配置したことを特徴とする請求項１に記載の空気調和機。
【請求項４】
前記枠体は空気調和機の室内ユニット本体の前面および上面に沿って配置されたことを特徴とする請求項１に記載の空気調和機。
【請求項５】
前記吸入ノズルは前記枠体に取り付けられていることを特徴とする請求項１乃至４のいずれか１項に記載の空気調和機。
【発明の詳細な説明】
【技術分野】
【０００１】
本発明は、室内ユニットの空気吸込口に設けられたエアフィルタを自動的に清掃する機能を備えた空気調和機に関する。
【背景技術】
【０００２】
従来の空気調和機は、図２８及び図２９に示すように、熱交換器１１の前面に、本体１３の内部へ塵埃が侵入することを防ぐためのエアフィルタ６が設けられており、このエアフィルタ６は、付着した塵埃を手で清掃できるように着脱自在に構成されている。
【０００３】
また、エアフィルタの清掃を容易にした空気調和機として、回転ブラシと、回転ブラシを回転自在に支持すると共にそれを覆うブラシカバーと、回転ブラシと同軸に設けられたピニオンからなるフィルタブラシを備え、電気掃除機の吸引ノズルをブラシカバーに設けた吸引口に接続し、エアフィルタ上を移動させて、エアフィルタに堆積した塵埃を回転ブラシでかきとりながら吸引するようにしたものがある（例えば、特許文献１参照）。
【０００４】
また、捕集装置と、清浄装置と、吸込み機構と、吸込み機構に繋がる担持ビームと、担持ビームに接続されたホースと、真空発生器と、真空発生器の吸引側に配された分離器などで構成され、エアフィルタに付着した塵埃を自動的に吸引するとともに、その塵埃を分離器で捕集するようにしたものも提案されている（例えば、特許文献２参照）。
【０００５】
さらに、ベルト状のエアフィルタを張設した駆動軸及び従動軸と、駆動軸を駆動するサーボモータと、ブラシと、排気管に配設された塵埃センサー及びファンと、エアフィルタの連続使用時間を算出する演算処理手段と、制御手段とを備え、ベルト状のエアフィルタを回転させながらブラシで塵埃を除去するようにしたものもある（例えば、特許文献３参照）。
【特許文献１】特開平１１−２２６３３１号公報（第２頁、図１〜４）
【特許文献２】特開平１−７５０２０号公報（第１〜９頁、第４図）
【特許文献３】特開平６−７４５２１号公報（第２頁、図１）
【発明の開示】
【発明が解決しようとする課題】
【０００６】
しかしながら、着脱式のエアフィルタを備えた従来の空気調和機では、空気調和機の使用頻度に応じて空気調和機よりエアフィルタを取り外し、水洗いもしくは掃除機などで付着した塵埃を掃除するというメンテナンスを定期的にする必要があり面倒であった。そして周期的なメンテナンスが成されなかった場合、エアフィルタに塵埃が堆積し吸込み空気の通気抵抗が増大することから空気調和機の性能が低下したり消費電力が増大するという課題があった。
【０００７】
また、特許文献１に開示されたものでは、エアフィルタを清掃する都度電気掃除機を取りだし、その吸引ノズルをブラシカバーの吸引口に接続し、エアフィルタ上を移動させなければならず、非常に手間と時間を要するという問題があった。
【０００８】
また、特許文献２に記載されたフィルタ装置の場合、エアフィルタに付いた塵埃は自動的に吸引されるが、その吸引された塵埃は分離器に捕集されるので、定期的に分離器に堆積した塵埃を取り除いて処理する必要があり、面倒であると共に、それを怠ると、エアフィルタに付いた塵埃が除去されなくなり、吸込み空気の通気抵抗が増大して空気調和機の性能が低下したり、消費電力も増大するという課題があった。
【０００９】
さらに、特許文献３に開示された空気調和機の場合、エアフィルタの全幅と略同じ長さの長尺のブラシが必要となり、また、エアフィルタがベルト状になっているため厚みが増大し、本体の奥行きサイズが大きくなるという課題があった。
【００１０】
本発明は、従来技術の有するこのような問題点に鑑みてなされたものであり、少ない吸引力で効率的に吸塵することができ、エアフィルタの清掃、メンテナンスが極めて容易なエアフィルタの自動清掃機能付き室内ユニットを備えた空気調和機を提供することを目的としている。
【課題を解決するための手段】
【００１１】
上記目的を達成するために、本発明は、熱交換器と、前記熱交換器で熱交換された空気を室内に吹き出すファンと、前記熱交換器の風上側に配設されたエアフィルタと、前記エアフィルタに付着した塵埃を除去する吸入ノズルを有する空気調和機であって、前記エアフィルタは前記空気調和機に対し着脱自在な枠体に取付けられていることを特徴とする。
【００１２】
また、前記枠体は略Ｌ字形の縦断面形状をなし、熱交換器の略前方と略上方とに連続的に配置されている。さらに、前記枠体は空気調和機の室内ユニット本体の前面および上面に沿って配置されている。
【００１３】
また、前記吸入ノズルは前記枠体に取り付けられている。
【発明の効果】
【００１４】
本発明によれば、エアフィルタの清掃を自動的に確実に行うことができ、空気調和機の性能維持あるいは消費電力の増大防止を図ることができる。
【００１５】
また、吸引ノズルで吸引した塵埃を排気ダクトを介して空気とともに室外に排出すると、室内空気を常にクリーンな状態に維持することができる。
【００１６】
さらに、吸入ノズルの吸入口に隣接してブラシを設けると、小さい吸引力で確実に吸塵することができる。
【発明を実施するための最良の形態】
【００１７】
以下、本発明の実施の形態について、図面を参照しながら説明する。
【００１８】
実施の形態１．
図１乃至図３は本発明の実施の形態１にかかる空気調和機の室内ユニットを示しており、図１は室内ユニットの正面図、図２及び図３はそれぞれ図１における線Ｉ−Ｉ及び線II−IIに沿った断面図である。また、図４及び図５はそれぞれ室内ユニットに設けられたフィルタ装置の斜視図及び分解斜視図で、図６Ａ及び図６Ｂはフィルタ装置に設けられた吸入ノズルの外観を示す側面図と正面図である。
【００１９】
室内ユニット本体１３の内部には、熱交換器１１と、熱交換器１１を通して室内空気を取り入れ、熱交換器１１で熱交換された空気を室内に吹き出すためのファン１２と、熱交換器１１の上流側に配設されたフィルタ装置１とが収容されており、本体１３の前面から上面に渡り形成された複数の吸込口（図示せず）からファン１２の動作により空気が吸い込まれ、空気中に漂う塵埃は、吸込口と熱交換器１１との間に設けられたフィルタ装置１により取り除かれる。
【００２０】
このフィルタ装置１は、フィルタ枠２と、フィルタ枠２に取り付けられたエアフィルタ６と、エアフィルタ６の上流側の面に沿って左右方向（水平方向：矢印Ａ）に摺動自在の吸入ノズル５と、フィルタ枠２の一側（本実施の形態では下端）の本体１３に取り付けられるとともに吸入ノズル５の一端が気密を保ちながら摺動自在に接続された吸い込みダクト３と、吸い込みダクト３に連結され空気と共に塵埃を吸引、排気する吸引排気装置７と、一端が吸引排気装置７に連結され、他端が室外に開口した排気ダクト８を備えている。
【００２１】
吸入ノズル５は、図６Ａ及び図６Ｂに示すように、中間部が屈曲した縦長に形成されて垂直方向に延び、エアフィルタ６に面する側にスリット状の吸入口５ａが設けられている。
【００２２】
吸入ノズル５を左右に摺動させる駆動手段は、吸入ノズル５の吸い込みダクト３側に連結された駆動用ワイヤ９と、駆動用ワイヤ９を駆動するための駆動モータ１０とで構成されている。
【００２３】
なお、図４及び図５に示されるエアフィルタ６はフィルタ枠２に着脱自在に取り付けられているが、フィルタ枠２は本体１３の一部であってもよく、エアフィルタ６を本体１３に固定し、着脱できない構成にすることもできる。
【００２４】
図７はエアフィルタ６を示しており、凹凸が少なく編成されたネット６ａを用いて構成するとともに、吸入ノズル５に設けた吸入口５ａが対面し、塵埃が付着する表面側をネット６ａとネット枠６ｂとの段差が付かないように形成している。
【００２５】
このように構成されたフィルタ装置１の動作について説明する。
【００２６】
空気調和機本体１３の運転停止後に、吸引排気装置７が運転開始し、吸い込みダクト３に設置された吸入ノズル５に設けた吸入口５ａから空気を吸い込み始める。そして、エアフィルタ６の片側端に位置していた吸入ノズル５が、駆動モータ１０に連結された駆動用ワイヤ９によって、図４及び図５に示すように矢印Ａの方向に移動し、エアフィルタ６の表面に付着した塵埃を吸入ノズル５に設けた吸入口５ａから吸入し、塵埃は吸い込みダクト３、吸引排気装置７を通り、排気ダクト８から室外へ排出される。
【００２７】
ここで、吸入ノズル５がエアフィルタ６の表面を全面清掃し、反対側の端部まで移動したときに駆動モータ１０は逆回転し、吸入ノズル５は初期の位置に戻る方向に移動して、再度エアフィルタ６の表面を清掃することが可能となる。
【００２８】
また、塵埃が付着する表面をフラットに構成したエアフィルタ６を用いることで、吸入ノズル５により塵埃を吸い取り易くすることができ、より確実に清掃を行うことができる。
【００２９】
なお、エアフィルタ６を本体１３に着脱自在に取り付けた場合、吸入ノズル５の吸引清掃動作では除去できなかった塵埃、油などを容易に清掃することができる。
【００３０】
図８Ａ及び図８Ｂは吸入ノズル５の変形例を示しており、吸入ノズル５に平行に延びる複数（例えば、２列）の吸入口５ａを所定の間隔で形成するとともに、吸入口５ａに隣接するブラシ５ｂを設けたものである。
【００３１】
この吸入ノズル５を使用すると、フィルタ装置１の動作時に吸入ノズル５が、駆動モータ１０に連結された駆動用ワイヤ９によって矢印Ａ方向に移動し、吸入ノズル５のブラシ５ｂがエアフィルタ６の表面に付着した埃を掻き出しながら複数列の吸入口５ａから吸入し、塵埃は吸い込みダクト３、吸引排気装置７を通り、排気ダクト８から室外へ排出される。
【００３２】
吸入口５ａに隣接するブラシ５ｂを設けることで、小さい吸引力で確実に吸塵することができる。
【００３３】
なお、上記実施の形態において、空気調和機本体１３の運転停止後に吸引排気装置７が運転を開始するようにしたが、空気調和機本体１３の運転前あるいは運転中に吸引排気装置７を運転するようにしてもよい。
【００３４】
また、上記実施の形態において、吸引排気装置７に排気ダクト８を接続し、吸引排気装置７で吸引した塵埃を空気とともに室外に排出するようにしたが、排気ダクト８は必ずしも設ける必要はない。この場合、吸引排気装置７に集塵ネットを有する着脱自在の集塵ケースを設け、吸引排気装置７で吸引した塵埃を集塵ネットで捕集する一方、塵埃とともに吸引された空気を吸引排気装置７より排出すればよく、集塵ネットで捕集した塵埃は集塵ケースを吸引排気装置７より取り外すことにより除去することができる。
【００３５】
実施の形態２．
図９は本発明の実施の形態２にかかる空気調和機の室内ユニットに設けられたフィルタ装置１を示しており、エアフィルタ６を挟んでノズル５の吸入口５ａに対向する縦長状の当て板１４を設けた点において上述した実施の形態１と相違している。
【００３６】
図１０及び図１１に示すように、当て板１４の上下端部は、吸入ノズル５の上端部５ｂ及び下端部５ｃにそれぞれ接続され、吸入ノズル５と一体的に形成されている。
【００３７】
本実施の形態においては、エアフィルタ６の裏面側のノズル吸入口５ａに対向する位置に当て板１４を設けたことにより、吸入ノズル５の左右方向の移動時に、当て板１４も一緒に移動しながら吸入口５ａから余分な空気が吸引されることがないので、小さい吸引力でエアフィルタ６に付着した塵埃を確実に吸塵することができる。
【００３８】
また、当て板１４の上下端部が吸入ノズル５の上端部５ｂと下端部５ｃにそれぞれ取り付けられているので、当て板１４と吸入口５ａの位置関係が安定し、吸引動作の安定化を図ることができる。
【００３９】
なお、図１１に示すように、当て板１４とエアフィルタ６との隙間Ｂを常に１ｍｍ以下になるように設定すれば、洩れのない安定した吸塵を行うことができる。
【００４０】
図１２は、当て板１４の変形例を示しており、当て板１４の左右両縁部に傾斜面１４ａを設けたものである。断面形状をノズル吸入口５ａに向かって山形状に形成したことで、吸入ノズル５の移動時に当て板１４がエアフィルタ６に引っ掛るのを確実に防止でき、スムーズな移動、吸引動作を確保することができる。
【００４１】
また、図１３は、当て板１４の別の変形例を示しており、エアフィルタ６の裏面に接する当て板１４にブラシ１５を設けたもので、吸引しきれずにエアフィルタ６に残った塵埃をブラシ１５で掻き出すようにしている。
【００４２】
実施の形態３．
図１４乃至図１８は本発明の実施の形態３にかかる空気調和機の室内ユニットを示しており、図１４は室内ユニットの断面図、図１５は室内ユニットに設けられたフィルタ装置の吸引機構部の斜視図、図１６及び図１７は裏面より見た吸引機構部の部分断面図、図１８は吸引ノズルの分解斜視図である。
【００４３】
図１６に示すように、吸い込みダクト３は筒状に形成され、一端は吸引ユニット（図示せず）に接続されるとともに、他端は閉じられている。吸い込みダクト３の上面には、等ピッチで開口部３ａを設けそれぞれに開閉蓋１６が取り付けられている。この開閉蓋１６は、通常は開閉蓋１６に付けたバネにより開口部３ａを塞ぐように閉じている。
【００４４】
吸引ノズル５には、接続具１７が嵌合溝５ｄにて、上下方向に移動自在に嵌め込まれている。又、取り付けボス５ｅに、カム１８と一体になった歯車１９がネジ２０にて回転自在に取り付けられている。図１９Ａ〜図１９Ｃに示すように、カム１８には溝１８ａが形成されており、接続具１７に設けたピン１７ａが嵌合する。
【００４５】
吸引ノズル５は本体のエアフィルタ６の前面に設けたシャフト２１に取り付け孔５ｆとガイド５ｇにて左右方向に移動自在に取り付けられている。又、吸引ノズル５と接続具１７は伸縮自在のジャバラ２２にて接続されている。
【００４６】
吸引ノズル５は、長手方向にループ状に設けたタイミングベルト２３と吸引ノズル５に配設した嵌合リブ５ｊにて嵌合固定されており、タイミングベルト２３の回転速度で左右に移動する。
【００４７】
タイミングベルト２３は図１８に示すように吸引ノズル５に設けたタイミングベルト通過孔５ｈを通り、上部を通過するタイミングベルト２３は、吸引ノズル５と嵌合リブ５ｊで固定されているが、下部を通過するタイミングベルト２３は、歯車１９を回転させる。
【００４８】
本実施の形態においては、吸入ノズル５が間歇的に吸い込みダクト３と連通することから、図１５に示すように、吸引ノズル５のエアフィルタ６に対向する面は、上述した実施の形態１あるいは３よりも幅広に形成されている。
【００４９】
他の構成は上述した実施の形態１の構成と同じなので、その説明は省略する。
【００５０】
上記の構成における空気の流れは以下のようになる。
【００５１】
図１６の位置に吸引ノズル５がある時、吸引ユニットが動作すると、エアフィルタ６に付着した塵埃と空気は、吸入口５ａを通過した後、吸引ノズル５と接続具１７をつなぐジャバラ２２を通過し、接続具１７に至る。この時、接続具１７はカム１８にて最下部に下がった状態になっており、接続具１７の先端で、開閉蓋１６を押し下げた状態で接続具１７と吸い込みダクト３と接続されており、空気と塵埃は吸引ユニットに導かれる。接続具１７の先端にはＯリング２４が有り空気の漏れを防止している。
【００５２】
次に、一定時間経過すると吸引ユニットの吸引が停止し、図１７に示すようにタイミングベルト２３が矢印方向に移動を始めると同時に歯車１９がタイミングベルト２３にて回転し、歯車１９と一体となっているカム１８に設けた溝１８ａが接続具１７のピン１７ａを上方に移動させることにより、接続具１７は右に移動しながら上方に移動する。それに伴い開閉蓋１６は閉じ始める。歯車１９が９０度回転すると、接続具１７の上昇は停止し、歯車１９が更に回転することにより接続具１７は下降を始め、１８０度回転した時点では、接続具１７が次の開閉蓋１６ａを開き、吸引ノズル５と吸い込みダクト３を接続し次の吸引が始まる。
【００５３】
以上のように、吸い込みダクトを筒状とし開閉蓋を有する接続口を設け、吸引ノズル５の接続具１７を吸い込みダクト３の開口部３ａに順次連通させて吸引ノズルを吸い込みダクトに接続するようにしたので、吸い込みダクトと吸引ノズルの接続が空気の漏れを生じることなく接続できるとともに、吸い込みダクトを筒状としたことで収納性を向上させることができる。また、塵埃を容易に取り除くことができ、空気調和機の性能低下防止にも寄与できる。
【００５４】
実施の形態４．
図２０は本発明の実施の形態４にかかる空気調和機の室内ユニットに設けられたフィルタ装置１の斜視図であり、吸引排気装置７は吸入ノズル５から伸縮自在の吸引ホース２５を通じて空気を吸引し、排気ダクト８を通じて屋外へ排気する構成を示している。
【００５５】
また、図２１は室内ユニットの断面図で、図２２は図２１の部分Ｂにおける吸入ノズル５の下部の拡大図である。図２２に示すように、吸入ノズル５に滑車２６がピン２７で連結されており、滑車２６とピン２７との間には隙間があり滑車２６はピン２７を軸として自由に回転できる。下レール４ａには滑車２６の車輪幅よりわずかに広い溝が設けられ、滑車２６はこの溝に沿って図２０の矢印Ａの方向に移動する。
【００５６】
図２３は図２１の部分Ｃにおける吸入ノズル５の上部の拡大図であり、吸入ノズル５には滑車２８が取り付けられ、Ｅリング２９は滑車２８の抜け防止の働きをもつ。
【００５７】
上レール４ｂにも下レール４ａと同様に滑車２８の車輪幅よりわずかに広い溝が設けられ、滑車２８がこの溝に沿って図２０の矢印Ａの方向に移動することで、吸入ノズル５に設けられた吸入口５aがエアフィルタ６の表面との距離をわずかな間隔を保ちながら移動する。
【００５８】
他の構成は上述した実施の形態１の構成と同じなので、その説明は省略する。
【００５９】
このように構成されたフィルタ装置１の動作について説明する。
【００６０】
空気調和機本体１３の運転停止後に、吸引排気装置７が運転開始し、吸引ホース２５に設置された吸入ノズル５に設けた吸入口５ａから空気を吸い込み始める。そして、エアフィルタ６の片側端に位置していた吸入ノズル５が、駆動モータ１０に連結された駆動用ワイヤ９によって矢印Ａの方向に移動し、吸入ノズル５の移動に伴い吸引ホース２５は伸縮する。エアフィルタ６の表面に付着した塵埃は吸入ノズル５から吸入され、吸引ホース２５を介して排気ダクト８から室外へ排出される。
【００６１】
実施の形態５．
図２４及び図２５は本発明の実施の形態５にかかる空気調和機の室内ユニットを示しており、吸入ノズル５を前後及び上下方向に摺動自在に設定した点で上述した実施の形態１乃至４にかかる空気調和機の室内ユニットと相違している。
【００６２】
また、図２４及び図２５は本発明にかかる室内ユニットの断面図（図１のＩ−Ｉ断面及びII−II断面）、図２６はフィルタ装置の斜視図、図２７Ａ及び図２７Ｂはフィルタ装置を構成する吸入ノズルの長手方向及び幅方向の断面図である。
【００６３】
本実施の形態におけるフィルタ装置１は、エアフィルタ６の上流側の面に沿って前後及び上下方向（矢印Ａ）に摺動自在の吸入ノズル５と、フィルタ枠２の一側に配設されるとともに吸入ノズル５の一端が気密を保ちながら摺動自在に接続された吸い込みダクト３と、吸い込みダクト３に連結され空気と共に塵埃を吸引、排気する吸引排気装置７と、一端が吸引排気装置７に連結され、他端が室外に開口した排気ダクト８を備えている。
【００６４】
吸入ノズル５を前後、上下に移動させる駆動手段は、吸入ノズル５の両側に連結された駆動用ワイヤ９と、それぞれの駆動用ワイヤ９を駆動するための駆動モータ１０で構成されている。
【００６５】
吸入ノズル５は、図２６及び図２７に示すように水平方向に延びるように横長に形成され、エアフィルタ６に面する側には吸入ノズル５と一体的に形成された補強桟５ｂで区画された複数の吸入口５ａが設けられている。
【００６６】
他の構成は上述した実施の形態１の構成と同じなので、その説明は省略する。
【００６７】
以上のように構成されたフィルタ装置１の動作について説明する。
【００６８】
本体１３の運転停止後に、吸引排気装置７が運転開始し、吸い込みダクト３に設置された吸入ノズル５の吸入口５ａから空気を吸い込み始める。そして、エアフィルタ６の片側端に位置していた吸入ノズル５が、駆動モータ１０に連結された駆動用ワイヤ９によって矢印Ａ方向のいずれか一方に移動し始め、その移動中にエアフィルタ６上の塵埃は吸入ノズル５の吸入口５ａから吸入され、吸い込みダクト３、吸引排気装置７を通り、排気ダクト８を通って室外へ排出される。
【００６９】
吸入ノズル５が一端から反対側の端部まで移動する間にエアフィルタ６の全表面が清掃され、その時点で駆動モータ１０を逆回転させれば、吸入ノズル５は初期の位置まで移動して、再度エアフィルタ６の表面を清掃することが可能となる。
【００７０】
また、本実施の形態では、吸入ノズル５を横長に形成し、前後方向及び上下方向に摺動自在に構成したので、エアフィルタ６の広い範囲を短時間で吸塵、清掃ができる。
【００７１】
また、吸入ノズル５の左右両側２カ所に駆動用ワイヤ９を取り付け、それぞれの駆動用ワイヤ９を駆動モータ１０で駆動するようにしたので、長尺の吸入ノズル５の両端を支持駆動することになり吸入ノズルの移動動作、吸引動作の安定化を図ることができる。
【００７２】
さらに、本実施の形態では、図２６及び図２７Ａに示すように、エアフィルタ６と一体的に形成されエアフィルタ６を補強するための補強桟６ａと、吸入ノズル５の吸い込み口５ａを形成する補強桟５ｂが対向するように設定したので、吸入ノズル５の吸引力を落とすことなく補強することができる。
【００７３】
また、図２６に示すように、吸い込みダクト３を略Ｌ字型に形成して本体１３片側（図２６における左側）に配置したことにより、吸入ノズル５の動作に合わせて効率よく吸い込みあるいは排気を行うことができる。
【００７４】
また、本実施の形態では、図２５に示すように吸引排気装置７をＬ字型の吸い込みダクト３の下側に配置することにより、吸い込みダクト３内の塵埃が上から下へスムーズに流れ、確実に吸塵することができる。
【図面の簡単な説明】
【００７５】
【図１】本発明の実施の形態１にかかる空気調和機の室内ユニットの正面図
【図２】図１における線Ｉ−Ｉに沿った断面図
【図３】図１における線II−IIに沿った断面図
【図４】室内ユニットに設けられたフィルタ装置の斜視図
【図５】図４のフィルタ装置の分解斜視図
【図６Ａ】フィルタ装置に設けられた吸入ノズルの側面図
【図６Ｂ】図６Ａの吸入ノズルの正面図
【図７】フィルタ装置を構成するフィルタの斜視図
【図８Ａ】吸入ノズルの変形例の側面図
【図８Ｂ】図８Ａの吸入ノズルの正面図
【図９】本発明の実施の形態２にかかる空気調和機の室内ユニットに設けられたフィルタ装置の斜視図
【図１０】図９のフィルタ装置に設けられた吸引ノズルの断面図
【図１１】図１０における線III−IIIに沿った断面図
【図１２】吸引ノズルの変形例を示す図１０の線III−IIIに沿った断面図
【図１３】吸引ノズルの別の変形例を示す図１０の線III−IIIに沿った断面図
【図１４】本発明の実施の形態３にかかる空気調和機の室内ユニットの断面図
【図１５】図１４の室内ユニットに設けられたフィルタ装置の吸引機構部の斜視図
【図１６】吸い込みダクトと連通する接続具が下降した状態を示す図１５の吸引機構部の背面図
【図１７】吸い込みダクトと連通する接続具が上昇した状態を示す図１５の吸引機構部の背面図
【図１８】吸入ノズルの分解斜視図
【図１９Ａ】接続具に設けられた歯車付きカムの正面図
【図１９Ｂ】図１９Ａの歯車付きカムの背面図
【図１９Ｃ】図１９Ａの歯車付きカムの断面図
【図２０】本発明の実施の形態４にかかる空気調和機の室内ユニットに設けられたフィルタ装置の斜視図
【図２１】室内ユニットの断面図
【図２２】図２１の部分Ｂの拡大図
【図２３】図２１の部分Ｃの拡大図
【図２４】本発明の実施の形態５にかかる空気調和機の室内ユニットの図１における線Ｉ−Ｉに沿った断面図
【図２５】図２４の室内ユニットの図１における線II−IIに沿った断面図
【図２６】図２４の室内ユニットに設けられたフィルタ装置の斜視図
【図２７Ａ】フィルタ装置を構成する吸引ノズルの長手方向の断面図
【図２７Ｂ】フィルタ装置を構成する吸引ノズルの幅方向の断面図
【図２８】従来の空気調和機の室内ユニットの正面図
【図２９】図２８における線IV−IVに沿った断面図
【図１】
2006145208.tif 000003
【図２】
2006145208.tif 000004
【図３】
2006145208.tif 000005
【図４】
2006145208.tif 000006
【図５】
2006145208.tif 000007
【図６Ａ】
2006145208.tif 000008
【図６Ｂ】
2006145208.tif 000009
【図７】
2006145208.tif 000010
【図８Ａ】
2006145208.tif 000011
【図８Ｂ】
2006145208.tif 000012
【図９】
2006145208.tif 000013
【図１０】
2006145208.tif 000014
【図１１】
2006145208.tif 000015
【図１２】
2006145208.tif 000016
【図１３】
2006145208.tif 000017
【図１４】
2006145208.tif 000018
【図１５】
2006145208.tif 000019
【図１６】
2006145208.tif 000020
【図１７】
2006145208.tif 000021
【図１８】
2006145208.tif 000022
【図１９Ａ】
2006145208.tif 000023
【図１９Ｂ】
2006145208.tif 000024
【図１９Ｃ】
2006145208.tif 000025
【図２０】
2006145208.tif 000026
【図２１】
2006145208.tif 000027
【図２２】
2006145208.tif 000028
【図２３】
2006145208.tif 000029
【図２４】
2006145208.tif 000030
【図２５】
2006145208.tif 000031
【図２６】
2006145208.tif 000032
【図２７Ａ】
2006145208.tif 000033
【図２７Ｂ】
2006145208.tif 000034
【図２８】
2006145208.tif 000035
【図２９】
2006145208.tif 000036